(57)【要約】      （修正有）【課題】巻きスカートを簡単に作成できるベルトを提供する。【解決手段】下部ベルト３の正面側にサスペンダークリップ４を間隔を空けて複数個配列し、サスペンダークリップ４に巻きスカート１０となる布の上縁９を挟み、上部ベルト２を折畳んでサスペンダークリップ４と布の上縁９もろ共下部ベルトを覆い隠し、上部ベルト２と下部ベルト３のそれぞれ対向する端部に設けた面ファスナー５によって、ウェストに装着する構成としたサスペンダークリップ付きベルト。【選択図】図３
0003120438.tif 000002
【実用新案登録請求の範囲】
【請求項１】
上部ベルト（２）と下部ベルト（３）を水平方向に並列し、その中間部は折り曲げ自在となるように連接して、前記下部ベルト（３）の正面側には、巻きスカート（１０）となる布の上縁（９）を把持するための、サスペンダークリップ（４）を間隔を開けて複数個配設したことを特徴とするサスペンダークリップ付きベルト（１）。
【請求項２】
前記上部及び下部ベルト（２，３）の各端部は左右に相互にずらして形成し、使用時には、上部ベルト（２）は下方に折畳んでサスペンダークリップ（４）の付いた下部ベルト（３）を覆い、上部ベルト（２）及び下部ベルト（３）の対向する端部に面ファスナー（５）をそれぞれ配設して、ウェストに合わせて装着ができるようにしたことを特徴とする請求項１に記載のサスペンダークリップ付きベルト（１）。
【考案の詳細な説明】
【技術分野】
【０００１】  本考案は、下部ベルトにサスペンダークリップを複数個配置し、それを上部ベルトによってカバーした巻きスカートを簡単に作成できるベルトに関するものである。
【背景技術】
【０００２】  背景技術として、女性用ベルトは、既成のスカート等を着用した上から身につけ、腰回り幅の若干の調整や、装飾のための尾錠を用いたものがあり、本考案のように、簡易に巻きスカートを作成するために、サスペンダークリップ４を備え、面ファスナー５で留め付けるようなベルトは未だなかった。
【考案の開示】
【考案が解決しようとする課題】
【０００３】  本考案は、縫製されたスカートよりも、殆んど縫製されていない布６を用いて巻きスカート１０を作成し、着用するときに用いるベルトであり、そのための手軽さ、使利さ、多種多用性、さらには安価であることをその主旨とする。
【課題を解決するための手段】
【０００４】  そこで、前記目的を達成するために、請求項１の考案は、上部ベルト２と下部ベルト３を水平方向に並列し、その中間部は折り曲げ自在となるように連接し、前記下部ベルト３の正面側には、巻きスカート１０となる布の上縁９を把持するための、サスペンダークリップ４を間隔を空けて複数個配設したことを特徴とする、サスペンダークリップ付きベルト１としたものである。【０００５】  そして、請求項２の考案について、前記上部及び下部ベルト２、３の各端部は左右に相互に少しずらして形成し、使用時には、上部ベルト２は下方に折畳んで下部ベルト３を覆い、上部ベルト２および下部ベルト３の対向する端部に面ファスナー５をそれぞれ配設して、ウェストに合わせて装着できるようにしたことを特徴とする請求項１に記載のサスペンダークリップ付きベルト１としたものである。
【考案の効果】
【０００６】  請求項１の考案は、前記構成としたことにより、全く縫製されていないか、殆んど縫製されていない布６をサスペンダークリップ４に取り付け、即座に所望の布６を巻きスカート１０として着用することができるという効果がある。【０００７】  請求項２の考案は、前記構成としたことにより、サスペンダークリップ４の付いた下部ベルト３を上部ベルト２で被覆するため、ごつごつとしたサスペンダークリップ４の肌触りを和らげ、また、スカートのベルト通しや尾錠を通す必要もなく、面ファスナー５でいとも簡単に止着することができるという効果がある。
【考案を実施するための最良の形態】
【０００８】  次に本考案を実施するための最良の形態を図面に沿って説明する。図１は正面図であり、図に示すように、下部ベルト３に複数個のサスペンダークリップ４を間隔を空けて配設し、それらのサスペンダークリップ４に布の上縁９を挟み込んだ後、上部ベルト２を下方へ折り畳んで、サスペンダークリップ４や布の上縁９もろ共カバーし、身に付けたときにはそこが外観を形成する。比較的肉厚地である上部ベルト２と下部ベルト３との間は折り易いようにかがり縫いをするか、または、テープ等の他の方法で連接してよいことはもちろんである。【０００９】  左右に配置した面ファスナー５は、このサスペンダークリップ付きベルト１を身体のウェストに巻きつけて固定するためのものであり、スカートのベルト通しを通したり、正面で種々の装飾的尾錠など通す必要はない。図１、図２に示すように、上部ベルト２の正面側左端部及び同背面側右端部と、下部ベルト３の正面側右端部及び同背面側の左端部近傍に面ファスナー５を配置してある。【００１０】  先ず下部ベルト３に配置されたサスペンダークリップ４に布の上縁９を挟み（図３参照）、そこで、上部ベルト２を下方に折り返しサスペンダークリップ４の付いた下部ベルト３を覆い隠す（図４参照）。それを身体の腰部に巻きつけ、面ファスナー５で固定し巻きスカート１０を作成する（図５参照）。なお、図８に図示したサスペンダークリップ４は公知の一形態であるが、形態はこれに限定するものではない。【００１１】  図６は他の１実施例で、布６適当な間隔を空けて襞を作り、その襞をサスペンダークリップ４に挟み、プリーツ７付の巻きスカート１０を作成した図である。【００１２】  図７はその他の１実施例であり、あらかじめ布の上縁９を糸で縫い縮めギャザーを作り、それをサスペンダークリップ４で挟み、ギャザー８付きの巻きスカート１０を作成した図である。【００１３】  さらに長さの違う２枚の布を重ねてカバースカートを作成したり、リボンの飾りを挟んだり、また、大判のテーブルクロスやスカーフを利用する等さまざまなデザインの巻きスカート１０の作成が楽しめる。また、防水の生地を使い、水回り仕事用のエプロンや、急な雨の時に下半身の雨具を作成するとか利用範囲は多種多様である。【００１４】  近年生地専門店に行くと、沢山の生地が安価に切り売りされている。したがって、その時の趣向にあった巻きスカート１０を即座に作成することもでき、旅行の時には本考案のサスペンダークリップ付きベルト１と何枚かの布６を持って行けば、日替わりデザインの巻きスカート１０を着用することができる。また、本考案のサスペンダークリップ付きベルト１自体も服装で最も目立つ部位にあり、色彩及び模様共に創意工夫の対象となる。
【図面の簡単な説明】
【００１５】
【図１】本考案のサスペンダークリップ付きベルト１の正面図である。
【図２】本考案のサスペンダークリップ付きベルト１の背面図である。
【図３】下部ベルト３に配列したサスペンダークリップ４に布の上縁９を挟み込んだ状態の正面図である。
【図４】下部ベルト３に配列したサスペンダークリップ４に布の上縁９を挟み込んだ後、上部ベルト２を下方へ折り返し、サスペンダークリップ４もろとも下部ベルト３をカバーした状態の正面図である。
【図５】本考案のサスペンダークリップ付きベルト１を用いて巻きスカート１０を作成した図である。
【図６】本考案のサスペンダークリップ付きベルト１を用いてプリーツ７をつけた巻きスカート１０を作成した図である。
【図７】本考案のサスペンダークリップ付きベルト１を用いてギャザー８をつけた巻きスカート１０を作成した図である。
【図８】本考案におけるサスペンダークリップ４の一使用例を示す。歯の下に布６を挟み蓋を閉める。
【符号の説明】
【００１６】１    サスペンダークリップ付きベルト
２    上部ベルト
３    下部ベルト
４    サスペンダークリップ
５    面ファスナー
６    布
７    プリーツ
８    ギャザー
９    布の上縁
１０  巻きスカート
【図１】
0003120438.tif 000003
【図２】
0003120438.tif 000004
【図３】
0003120438.tif 000005
【図４】
0003120438.tif 000006
【図５】
0003120438.tif 000007
【図６】
0003120438.tif 000008
【図７】
0003120438.tif 000009
【図８】
0003120438.tif 000010